(57)【特許請求の範囲】
【請求項１】
建物躯体の開口部に残存した既設サッシ枠内に新設サッシ枠を取り付けた改修サッシであって、
前記既設サッシ枠の既設上枠、左右の既設縦枠は、面内方向の内側に向かう内向凹部を有すると共に、その内向凹部の面外方向の中間に、面内方向の内側に向かう内向部を有し、
前記既設上枠、既設縦枠に下地材を、前記各内向凹部に嵌め込んで、面外方向に動かないように支持し、
前記各下地材の面外方向中間部は、前記各下地材の取付ねじが挿入し、かつ面内方向に向けて斜めである面外方向一側寄りのねじ挿入部と、該ねじ挿入部と直角となるように面内方向に向けて斜めである面外方向他側寄りの反対側部とで、面外方向に向けてほぼハの字形状とし、
前記各下地材の面外方向中間部のねじ挿入部のみから取付ねじを挿入して、前記各内向部に、当該取付ねじを、その頭部が先端部よりも面内方向内側となるように面内方向に向けて斜めの姿勢で螺合して固定し、
前記新設サッシ枠の新設上枠、左右の新設縦枠を、前記下地材に螺合した固定ねじで前記既設上枠、左右の既設縦枠にそれぞれ取り付けたことを特徴とする改修サッシ。
【請求項２】
前記下地材の取付ねじが挿入するねじ挿入部は、面外方向の室内側に向かうように斜めである請求項１記載の改修サッシ。
【請求項３】
前記下地材は、面外方向の中間部が面外方向に向けて略ハの字形状に折曲した基板と、この基板の面外方向室内側に設けた室内側外向片と、前記基板の面外方向室外側に設けた室外側外向片を有する断面略コ字形状で、
前記基板の面外方向中間部の折曲部分の面外方向の一側片を前記ねじ挿入部とし、面外方向の他側片を前記反対側部とした請求項１記載の改修サッシ。
【請求項４】
前記下地材は、既設上枠、左右の既設縦枠の内向凹部に嵌り込んで面外方向に動かないように支持される略直方体で、裏面には前記既設上枠、左右の既設縦枠の内向部と嵌まり合う溝を有し、表面の面外方向中間部に、面外方向に向けて略ハの字形状の凹部を有すると共に、この凹部の面外方向の一側面と前記溝に連続したねじ挿入孔を有し、この一側面を前記ねじ挿入部、他側面を前記反対側部とし、
このねじ挿入孔に挿入した取付ねじを前記内向部に螺合して下地材を固定するようにした請求項１記載の改修サッシ。
【発明の詳細な説明】
【技術分野】
【０００１】
本発明は、建物の開口部に残存した既設サッシ枠内に新設サッシ枠を取り付けた改修サッシに関する。
【背景技術】
【０００２】
従来、建物躯体の開口部に取り付けてある既設サッシを新設サッシに改修した改修サッシとしては、建物躯体の開口部に既設サッシ枠を残存させ、その既設サッシ枠内に新設サッシ枠を取り付け、その新設サッシ枠に障子を装着した改修サッシが知られている。
例えば、特許文献１に開示されたように、既設サッシ枠の既設上枠、既設下枠、既設縦枠に下地材をそれぞれ固定し、この各下地材に、新設サッシ枠の新設上枠、新設下枠、新設縦枠をそれぞれ固定することで既設サッシ枠内に新設サッシ枠を取り付けるようにした改修サッシが知られている。
【先行技術文献】
【特許文献】
【０００３】
【特許文献１】特開２００７−２３５６５号公報
【発明の概要】
【発明が解決しようとする課題】
【０００４】
前述した従来の改修サッシにおいては、既設上枠、既設縦枠に下地材を、その下地材から取付ねじを既設上枠、既設縦枠に螺合して固定しているが、その取付ねじが既設上枠、既設縦枠から建物躯体に突出しているので、既設上枠、既設縦枠の取付ねじの螺合部分を通して雨水等が建物躯体に浸入する恐れがある。
【０００５】
本発明の目的は、既設上枠、既設縦枠に取付ねじを螺合することで下地材を固定し、その取付ねじの螺合部分を通して雨水等が建物躯体に浸入することがない改修サッシとすることである。
【課題を解決するための手段】
【０００６】
本発明は、建物躯体の開口部に残存した既設サッシ枠内に新設サッシ枠を取り付けた改修サッシであって、
前記既設サッシ枠の既設上枠、左右の既設縦枠は、面内方向の内側に向かう内向凹部を有すると共に、その内向凹部の面外方向の中間に、面内方向の内側に向かう内向部を有し、
前記既設上枠、既設縦枠に下地材を、前記各内向凹部に嵌め込んで、面外方向に動かないように支持し、
前記各下地材の面外方向中間部は、前記各下地材の取付ねじが挿入し、かつ面内方向に向けて斜めである面外方向一側寄りのねじ挿入部と、該ねじ挿入部と直角となるように面内方向に向けて斜めである面外方向他側寄りの反対側部とで、面外方向に向けてほぼハの字形状とし、
前記各下地材の面外方向中間部のねじ挿入部のみから取付ねじを挿入して、前記各内向部に、当該取付ねじを、その頭部が先端部よりも面内方向内側となるように面内方向に向けて斜めの姿勢で螺合して固定し、
前記新設サッシ枠の新設上枠、左右の新設縦枠を、前記下地材に螺合した固定ねじで前記既設上枠、左右の既設縦枠にそれぞれ取り付けたことを特徴とする改修サッシである。
【０００７】
本発明においては、前記下地材の取付ねじが挿入するねじ挿入部は、面外方向の室内側に向かうように斜めとすることができる。
このようにすれば、取付ねじを既設サッシ枠の室内側から螺合作業でき、作業者が既設サッシ枠から室外側に身をのり出すことなく安全に下地材を取り付けできる。
【０００８】
本発明においては、前記下地材は、面外方向の中間部が面外方向に向けて略ハの字形状に折曲した基板と、この基板の面外方向室内側に設けた室内側外向片と、前記基板の面外方向室外側に設けた室外側外向片を有する断面略コ字形状で、
前記基板の面外方向中間部の折曲部分の面外方向の一側片を前記ねじ挿入部とし、面外方向の他側片を前記反対側部とすることができる。
このようにすれば、下地材をアルミ押出形材などの形材を所定の長さに切断して作製することができる。
【０００９】
本発明においては、前記下地材は、既設上枠、左右の既設縦枠の内向凹部に嵌り込んで面外方向に動かないように支持される略直方体で、裏面には前記既設上枠、左右の既設縦枠の内向部と嵌まり合う溝を有し、表面の面外方向中間部に、面外方向に向けて略ハの字形状の凹部を有すると共に、この凹部の面外方向の一側面と前記溝に連続したねじ挿入孔を有し、この一側面を前記ねじ挿入部、他側面を前記反対側部とし、
このねじ挿入孔に挿入した取付ねじを前記内向部に螺合して下地材を固定するようにしできる。
このようにすれば、下地材を樹脂などを用いて成形して製作できる。
【発明の効果】
【００１０】
本発明によれば、既設上枠、左右の既設縦枠に下地材を取付ねじで固定できるし、その取付ねじの螺合部分から雨水等が建物躯体に浸入することがない。
【００１１】
また、各下地材を既設上枠、左右の既設縦枠に、その面外方向中間部のみを固定ねじで固定することで、面内外方向に動かないように強固に固定でき、その下地材の固定作業が簡単である。
【００１２】
また、既設サッシ枠内から取付ねじを面内方向に向けて斜めの姿勢として螺合でき、その取付ねじの螺合作業がやり易い。
【図面の簡単な説明】
【００１３】
【図１】本発明の実施の形態を示す改修サッシの縦断面図である。
【図２】本発明の実施の形態を示す改修サッシの横断面図である。
【図３】上枠部分の拡大断面図である。
【図４】左縦枠部分の拡大断面図である。
【図５】右縦枠部分の拡大断面図である。
【図６】本発明の第２の実施の形態の下地材の斜視図である。
【図７】本発明の第２の実施の形態の上枠部分の拡大断面図である。
【図８】本発明の第２の実施の形態の左縦枠部分の拡大断面図である。
【図９】本発明の第２の実施の形態の右縦枠部分の拡大断面図である。
【図１０】本発明の第３の実施の形態の下地材の斜視図である。
【発明を実施するための形態】
【００１４】
図１と図２に示すように、建物躯体１の開口部１ａに既設サッシ枠２が残存している。
この既設サッシ枠２内に新設サッシ枠３を取り付け、この新設サッシ枠３内に障子４を装着して改修サッシとしてある。
前記既設サッシ枠２は、既設上枠２０と既設下枠２１と左右一方の既設縦枠２２と左右他方の既設縦枠２３を方形状に連結してある。
前記新設サッシ枠３は、既設上枠３０と新設下枠３１と左右一方の新設縦枠３２と左右他方の新設縦枠３３を方形状に連結してある。
【００１５】
前記既設上枠２０、左右両方の既設縦枠２２，２３には下地材５が取付ねじ６でそれぞれ固定してある。
この取付ねじ６は既設上枠２０、既設縦枠２２，２３から建物躯体１に突出しないようにして、既設上枠２０、既設縦枠２２，２３の取付ねじ６の螺合部分２０ａ，２２ａ，２３ａを通して雨水等が建物躯体１に浸入することがないようにしてある。
【００１６】
前記新設上枠３０は、固定ねじ７で下地材５に固定して既設上枠２０に取り付けてある。
前記左右の新設縦枠３２，３３は、固定ねじ７で下地材５に固定して左右の既設縦枠２２，２３に取り付けてある。
図１、図２においては、新設上枠３０、新設縦枠３２，３３と各下地材５との間にはスペーサ８がそれぞれ設けてある。
【００１７】
前記新設上枠３０の室内側部３０ａ、左右の新設縦枠３２，３３の室内側部３２ａ，３３ａにはカバー材９がそれぞれ取り付けてある。
このカバー材９は面内方向の外側（図１で上方、図２で左右方向）に向けて突出し、既設上枠２０の室内側部２０ｂ、左右の既設縦枠２２，２３の室内側部２２ｂ，２３ｂと相対向している。
これによって、既設上枠２０の面内方向の内側部と新設上枠３０の面内方向の外側部との間の隙間、左右の既設縦枠２２，２３の面内方向の内側部と左右の新設縦枠３２，３３の面内方向の外側部との間の隙間の室内側をそれぞれカバー材９で閉塞し、室内から各隙間が見えないようにしている。
前述の説明で、面内方向とは室内外側方向と直交する方向で、見付け方向とも呼ばれ、図１では上下方向、図２では左右方向である。
なお、前述の室内外側方向を以下の説明では面外方向（見込み方向）とする。
【００１８】
次に、下地材５の取り付けを図３、図４、図５に基づいて詳細に説明する。
前記既設上枠２０、左右の既設縦枠２２，２３は、面内方向の内側に向かう内向凹部２０ｃ，２２ｃ，２３ｃを有すると共に、この内向凹部２０ｃ，２２ｃ，２３ｃの面外方向の中間に、面内方向の内側に向かう内向部２０ｄ，２２ｄ，２３ｄを有している。
前記各下地材５は、面外方向の室内側部５ａ、室外側部５ｂが前記各内向凹部２０ｃ，２２ｃ，２３ｃの面外方向の室内側面、室外側面にそれぞれ接し、各内向凹部２０ｃ，２２ｃ，２３ｃに嵌め込まれ、面外方向に動かないように支持される。
前記各下地材５の面外方向中間部５ｃから取付ねじ６を、前記内向部２０ｄ，２２ｄ，２３ｄに螺合して下地材５を既設上枠２０、左右の既設縦枠２２，２３に固定している。前記内向部２０ｄ，２２ｄ，２３ｄの取付ねじ６が螺合した部分が前述の螺合部分２０ａ，２２ａ，２３ａである。
【００１９】
このようであるから、下地材５の面外方向中間部のみを取付ねじ６で固定することで、下地材５を既設上枠２０、左右の既設縦枠２２，２３に面内外方向に動かないように強固に固定することができ、下地材５の固定作業が簡単である。
【００２０】
前記各下地材５は長尺で、既設上枠２０、左右の既設縦枠２２，２３の長手方向のほぼ全長に亘って取り付けるようにしても良いし、各下地材５を短尺とし、既設上枠２０、左右の既設縦枠２２，２３の長手方向に間隔を置いた複数位置に取り付けるようにしても良い。
【００２１】
前記下地材５の面外方向中間部５ｃの取付ねじ６が挿入するねじ挿入部５ｄは、面内方向に向けて斜めで、取付ねじ６を、面内方向に向けて斜めの姿勢（頭部６ａが先端部６ｂよりも面内方向内側となる姿勢）として前述の内向部２０ｄ，２２ｄ，２３ｄに螺合してある。
このようであるから、既設サッシ枠２内から取付ねじ６を面内方向に向けて斜めの姿勢として内向部２０ｄ，２２ｄ，２３ｄに螺合できるので、その取付ねじ６の螺合作業がやり易い。
【００２２】
図３、図４に示すように、既設上枠２０、左右一方の既設縦枠２２に固定する下地材５は、そのねじ挿入部５ｄが、その面内方向室内側部が面内方向室外側部よりも面内方向外側寄りとなるように面内方向に斜め、つまり下地材５の面外方向中間部５ｃにおける面外方向室外側寄り部分がねじ挿入部５ｄで、そのねじ挿入部５ｄは面外方向の室内側に向かっている。
これによって、取付ねじ６を既設サッシ枠２の室内側から螺合作業することができ、作業者が既設サッシ枠２から室外側に身をのり出して作業することがないから安全である。
【００２３】
図５に示すように、左右他方の既設縦枠２３に固定する下地材５は、そのねじ挿入部５ｄが面外方向中間部５ｃにおける面外方向室内側寄り部分で、そのねじ挿入部５ｄは面外方向の室外側に向かっている。
これは既設上枠２０と左右の既設縦枠２２，２３に同一の下地材５を取り付けて下地材５を共通化すると共に、既設上枠２０、左右一方の既設縦枠２２の内向部２０ｄ，２２ｄが面外方向の室外側寄りであるのに対し、左右他方の既設縦枠２３の内向部２３ｄが面外方向の室内側寄りであるためである。
なお、下地材５を共通化しなければ、左右他方の既設縦枠２３に固定する下地材５のねじ挿入部５ｄを面外方向の室内側に向かうようにできる。
【００２４】
前記各下地材５の面外方向中間部５ｃにおけるねじ挿入部５ｄと面外方向に反対側の反対側部５ｅは、面内方向に向けて斜め、好ましくはねじ挿入部５ｄと直角となるように斜めである。
つまり、各下地材５の面外方向中間部５ｃは面外方向に向けてほぼハの字形状に折曲した形状で、その面外方向一側寄りがねじ挿入部５ｄで、面外方向他側寄りが反対側部５ｅである。
このようであるから、既設サッシ枠２内から取付ねじ６を面内方向に斜めの姿勢として螺合作業し易く、その取付ねじ６をねじ挿入部５ｄと直角となるようにして螺合することができる。
【００２５】
前記既設上枠２０、左右の既設縦枠２２，２３は、本体１０と、その面外方向室内側に設けた室内側内向部１１と、面外方向室外側に設けた室外側内向部１２とで内向凹部２０ｃ，２２ｃ，２３ｃを形成している。
図３に示すように、前記既設上枠２０の本体１０には内向ヒレ片１３が面外方向に離隔して設けてあり、その室外寄りの内向ヒレ片１３が前述の内向部２０ｄである。
図４に示すように、前記左右一方の既設縦枠２２の本体１０の室外側寄りに内向きヒレ片１３が設けてあり、この内向ヒレ片１３が前述の内向部２２ｄである。
図５に示すように、前記左右他方の既設縦枠２３の本体１０の室内側寄りに内向ヒレ片１３が設けてあり、この内向ヒレ片１３が前述の内向部２３ｄである。
【００２６】
前記下地材５は、面外方向に向かう基板５０と、この基板５０の面外方向室内側に設けた室内側外向片５１と、前記基板５０の面外方向室外側に設けた室外側外向片５２とで断面略コ字形状の形材を所定の長さとしたものである。例えば、アルミの押出形材を所定の長さに切断したものとしてある。
前記下地材５は、その室内側外向片５１が前記室内側内向部１１の室外側面に接すると共に、室外側外向片５２が前記室外側内向部１２の室内側面に接するようにして取り付けられ、その室内側外向部５１が前述の室内側部５ａで、室外側外向部５２が前述の室外側部５ｂである。
前記基板５０の面外方向中間部が、面外方向に向けてほぼハの字形状に折曲し、その折曲部分の面外方向の一側片５０ａ、他側片５０ｂが面内方向に向けて斜めで、その一側片５０ａが前述のねじ挿入部５ｄで、他側片５０ｂが前述の反対側部５ｅである。
【００２７】
前記各下地材５は同一形状で、図３、図４に示すように既設上枠２０、左右一方の既設縦枠２２に下地材５が、前述の一側片５０ａが面外方向の室外側寄りとなるように固定する。
図５に示すように、左右他方の既設縦枠２３に下地材５が、その前述の一側片５０ａが面外方向の室内側寄りとなるように固定する。つまり、下地材５を面外方向に反転して取り付ける。
【００２８】
次に、本発明の第２の実施の形態を図６〜図９に基づいて説明する。
この実施の形態は、下地材５が形材ではなく樹脂などによって略直方体としたことが前述の第１の実施の形態と相違し、その下地材５以外は前述の第１の実施の形態と同様である。
前記下地材５は図６に示すように、面外方向の室内側側面５ｆ、面外方向の室外側側面５ｇ、面内方向の一端面５ｈ、面内方向の他端面５ｉ、表面５ｊ、裏面５ｋで囲まれた直方体で、その表面５ｊの面外方向中間部に凹部５３を有すると共に、裏面５ｋに溝５４を有する。
前記溝５４は面内方向に連続して一端面５ｈ、他端面５ｉに開口している。図６に示す下地材５は一対の溝５４を面外方向に離隔して有する。
前記凹部５３は、面外方向の一側面５３ａと面外方向の他側面５３ｂが面内方向に向けて斜めで、この凹部５３は面外方向に向けて略ハの字形状である。
前記一側面５３ａと前記溝５４とに連続したねじ挿入孔５５を有し、このねじ挿入孔５５は面内方向に向けて斜めである。図６では、ねじ挿入孔５５は一側面５３ａと直角に形成してある。
【００２９】
前記下地材５は既設上枠２０に図７に示すようにして固定される。
前記下地材５の室内側側面５ｆ、室外側側面５ｇが既設上枠２０の室内側内向片１１の室外側面、室外側内向片１２の室内側面にそれぞれ接すると共に、溝５４が内向ヒレ片１３に嵌合するようにして既設上枠２０の内向凹部２０ｃに嵌め込んで面外方向に動かないように支持する。
つまり、室内側側面５ｆ、室外側側面５ｇが前述の室内側部５ａ、室外側部５ｂである。
【００３０】
前記下地材５のねじ挿入孔５５に取付ねじ６を挿入し、既設上枠２０の内向ヒレ片１３（内向部２０ｄ）に螺合して下地材５を既設上枠２０に固定する。
つまり、凹部５３の一側面５３ａが前述のねじ挿入部５ｄで、他側面５３ｅが前述の反対側部５ｅである。
前記取付ねじ６は内向ヒレ片１３から突出して下地材５に螺合している。
【００３１】
前記下地材５は左右一方の既設縦枠２２に図８に示すように固定されると共に、左右他方の既設縦枠２３に図９に示すように固定される。
つまり、左右の既設縦枠２２，２３に下地材５は既設上枠２０に固定するのと同様にして固定されるが、左右一方の既設縦枠２２は、内向部２２ｄ（内向ヒレ片１３）が面外方向の室外側寄りに１つだけ有するので、室外側寄りの溝５４が内向部２２ｄに嵌まり合い、左右他方の既設縦枠２３は内向部（内向ヒレ片１３）が面外方向の室内側寄りに１つだけ有するので、室内側寄りの溝５４が内向部２２ｄに嵌まり合う。
【００３２】
すなわち、下地材５を既設上枠２０、左右の既設縦枠２２，２３に兼用して固定できるようにするために、一対の溝５４を有している。
なお、既設上枠２０、左右の既設縦枠２２，２３に固定する下地材５を別々の形状としても良い。
【００３３】
次に、本発明の第３の実施の形態を説明する。
この実施の形態は、第２の実施の形態の下地材５を２つの取付ねじ６で固定するようにした点が相違し、他は第２の実施の形態と同様である。
前記下地材５は既設上枠２０、左右の既設縦枠２２，２３の内向凹部２０ｃ，２２ｃ，２３ｃに嵌まり込み、面外方向に動かないように支持され、その裏面５ｋには各内向部２０ｄ，２２ｄ，２３ｄが嵌まり合う溝５４を有する直方体形状であることは、前述の第２の実施の形態の下地材５と同様で、下地材５を既設上枠２０、左右の既設縦枠２２，２３に取り付けた状態は前述の図７〜図９と同様であるので図示を省略する。
図１０に示すように、前記下地材５の表面５ｊにおける面内方向両端寄りにそれぞれ凹部５３を有し、この各凹部５３の一側面５３ａと溝５４に連続してねじ挿入孔５５を有している。
【００３４】
このようであるから、下地材５を面内方向に離隔した２本の取付ねじ６で既設上枠２０、左右の既設縦枠２２，２３に固定でき、下地材５をより強固に固定できる。
【符号の説明】
【００３５】
１…建物躯体、１ａ…開口部、２…既設サッシ枠、３…新設サッシ枠、５…下地材、５ａ…室内側部、５ｂ…室外側部、５ｃ…面外方向中間部、５ｄ…ねじ挿入部、５ｅ…反対側部、６…取付ねじ、７…固定ねじ、２０…既設上枠、２０ａ…螺合部分、２０ｃ…内向凹部、２０ｄ…内向部、２２…左右一方の既設縦枠、２２ａ…螺合部分、２２ｃ…内向凹部、２２ｄ…内向部、２３…左右他方の既設縦枠、２３ａ…螺合部分、２３ｃ…内向凹部、２３ｄ…内向部、３０…新設上枠、３２…左右一方の既設縦枠、３３…左右他方の新設縦枠。
【図１】
0005435573.tif 000002
【図２】
0005435573.tif 000003
【図３】
0005435573.tif 000004
【図４】
0005435573.tif 000005
【図５】
0005435573.tif 000006
【図６】
0005435573.tif 000007
【図７】
0005435573.tif 000008
【図８】
0005435573.tif 000009
【図９】
0005435573.tif 000010
【図１０】
0005435573.tif 000011